(57)【要約】【課題】屋内外の何れの環境下でも、視認性の高い表示画像を得ることが可能な液晶装置を提供する。【解決手段】液晶装置は、透過型の液晶表示パネルと、その表示側に配置され、第１光学軸を有する第１偏光板と、液晶表示パネルの表示側とは逆側に配置され、第１光学軸と交差する第２光学軸を有する第２偏光板と、第２偏光板の液晶表示パネル側とは逆側に配置され、第２偏光板側からの入射光のうち第２光学軸と平行な方向に振動する光を透過すると共に第２光学軸と交差する方向に振動する光を第２偏光板側に反射する反射偏光子フィルムと、を備える。特に、反射偏光子フィルムの第２偏光板側には第１拡散層が配置される。この構成により、表示側から入射した外光の一部を効率よく液晶表示パネル側に戻すことができる。その結果、表示画像の輝度等を高められ、屋内外の何れの環境下でも視認性の高い表示画像が得られる。【選択図】図２
2010107807.tif 000002
【特許請求の範囲】
【請求項１】
液晶表示パネルと、
前記液晶表示パネルの表示側とは逆側に配置された偏光板と、
前記偏光板を基準として前記液晶表示パネル側とは逆側に配置され、前記偏光板側からの入射光のうち前記偏光板の光学軸と平行な方向に振動する光を透過すると共に前記光学軸と交差する方向に振動する光を前記偏光板側に反射する反射偏光子と、を備え、
前記反射偏光子の前記偏光板側には第１拡散層が配置されていることを特徴とする液晶装置。
【請求項２】
前記第１拡散層と前記偏光板の間には空気層が設けられていることを特徴とする請求項１に記載の液晶装置。
【請求項３】
前記反射偏光子において、前記偏光板側とは逆側には第２拡散層が配置されてなることを特徴とする請求項１又は２に記載の液晶装置。
【請求項４】
前記第１拡散層のヘイズ値が、前記第２拡散層のヘイズ値より大きいことを特徴とする請求項３に記載の液晶装置。
【請求項５】
前記反射偏光子を基準として前記偏光板側とは逆側には、前記液晶表示パネルを照明する照明装置が配置されていることを特徴とする請求項１乃至４のいずれか一項に記載の液晶装置。
【請求項６】
請求項１乃至５のいずれか一項に記載の液晶装置を表示部として備えることを特徴とする電子機器。
【発明の詳細な説明】
【技術分野】
【０００１】
本発明は、各種情報の表示に用いて好適な液晶装置に関する。
【背景技術】
【０００２】
従来より、屋外等の明るい場所では外光を利用する一方、屋内等の暗い場所ではバックライト装置からの光を利用することで、表示画像を視認可能とする半透過反射型の液晶装置が知られている。
【０００３】
このような半透過反射型の液晶装置は、一般的に、画素領域内に、外光を表示側に向けて反射させる反射領域、及びバックライト装置からの光を表示側に透過させる透過領域を有する液晶表示パネルと、液晶表示パネルを挟む位置に配置される一対の偏光板と、一対の偏光板を挟む位置に配置される一対の位相差フィルムと、を備える。
【０００４】
かかる液晶装置では、画素領域内に反射領域を備えているため、透過型の液晶装置と比較して、画素領域における透過領域の占める大きさが小さくなる。このため、かかる液晶装置では、透過型の液晶装置と比べて透過率が低く、その為に輝度が低くなる。
【０００５】
また、かかる液晶装置では、偏光板に対して更に位相差フィルムが追加されるため、その分、透過コントラストも低下してしまう。ここで、透過コントラストは、一般に、白表示時の透過率を黒表示時の透過率で除した値（白透過率／黒透過率）で表される。
【０００６】
さらに、かかる液晶装置では、透過型の液晶装置と比べて、追加される構成要素（例えば、反射層や位相差フィルムなど）が多いため製造プロセスが複雑となり、その分、製品コストが高くなってしまう。
【０００７】
このように半透過反射型の液晶装置は種々の課題がある。このような種々の課題のうち、画面輝度の向上を図ることが可能な半透過反射型の液晶装置が、例えば特許文献１に記載されている。
【０００８】
この液晶装置では、液晶セルと光源装置との間に半透過性偏光フィルムを配置することで画面輝度の向上を図っている。なお、この半透過性偏光フィルムは、面内位相差値３０ｎｍ以下の高分子フィルムと、高分子フィルムを基準として光源装置側に配置された無機化合物からなる半透過反射性フィルムと、高分子フィルムを基準として液晶セル側に配置された光拡散層と、光拡散層を基準として液晶セル側に配置された吸収型偏光フィルムと、を備えている。
【０００９】
なお、特許文献２には、表示パネルの輝度を向上させることが可能な反射偏光部材を備える液晶装置が記載されている。この反射偏光部材は、液晶フィルムと、液晶フィルムに取り付けられ、光を拡散させる拡散層とを含み、ディスプレイユニットとバックライトアッセンブリとの間に介在されている。この液晶フィルムは、所定の方向にツイストされた液晶で構成され、液晶のツイスト方向と平行な光を反射し、残りの光を透過する。
【００１０】
【特許文献１】特開２００３−２１５５７０号公報
【特許文献２】特開２００６−１０６６５３号公報
【発明の開示】
【発明が解決しようとする課題】
【００１１】
しかしながら、上記の特許文献１及び２に記載の半透過反射型の液晶装置では、表示パネルの画面輝度を向上させることができるものの、上記したその他の課題を解決するには至っていない。
【００１２】
本発明は、以上の点に鑑みてなされたものであり、屋内、屋外のいずれの環境下でも、視認性の高い表示画像を得ることが可能な液晶装置及びそれを用いた電子機器を提供することを課題とする。
【課題を解決するための手段】
【００１３】
本発明の１つの観点では、液晶表示パネルと、前記液晶表示パネルの表示側とは逆側に配置された偏光板と、前記偏光板を基準として前記液晶表示パネル側とは逆側に配置され、前記偏光板側からの入射光のうち前記偏光板の光学軸と平行な方向に振動する光を透過すると共に前記光学軸と交差する方向に振動する光を前記偏光板側に反射する反射偏光子と、を備え、前記反射偏光子の前記偏光板側には第１拡散層が配置されていることを特徴とする。
【００１４】
上記の液晶装置では、液晶表示パネルの表示面側から入射し、液晶表示パネルを透過した外光は、次の経路を辿って進行する。液晶表示パネルを透過して偏光板の光学軸（透過軸）方向と平行な方向に振動する光となった外光は、偏光板を通過した後、第１拡散層に入射し、その一部が第１拡散層で後方散乱され偏光板側に戻ることとなる。また、第１拡散層を透過する外光についても、第１拡散層内において偏光状態が変化するため、その一部が反射偏光子で反射されて偏光板側に戻ることとなる。
【００１５】
このように、この液晶装置では、その第１拡散層による光の拡散効果、及び反射偏光子による反射により、表示側から入射した外光の一部を液晶表示パネル側に戻して表示に利用することができるようになる。そのため、外光強度が強ければ強いほど液晶表示パネルの表示輝度も高くなるため、屋内、屋外のいずれの環境下でも、視認性の高い表示画像を得ることが可能となる。
【００１６】
好適な例では、前記反射偏光子を基準として前記偏光板側とは逆側には、前記液晶表示パネルを照明する照明装置が配置されている。照明装置より出射する光は、反射偏光子および第１拡散層および偏光板を透過した後、液晶表示パネルに入射する。つまり、前述の表示に利用される外光に加え、照明装置からの光を用いて表示を行うことにより、高い輝度の透過型表示が実現する。
【００１７】
上記の液晶装置の一つの態様では、前記第１拡散層と前記偏光板の間には空気層が設けられている。これによれば、偏光板を透過した光は、第１拡散層による後方散乱に加え、空気層によっても散乱されて偏光板側に戻されるため、液晶表示パネルに入射する外光のうち、液晶表示パネル側に戻される光の量を増やすことができ、表示画像の輝度を高めることができる。
【００１８】
上記の液晶装置の他の態様では、前記反射偏光子において、前記偏光板側とは逆側には第２拡散層を配置する。
【００１９】
この構成によれば、反射偏光子を透過した外光が第２拡散層で後方散乱されて液晶表示パネル側に戻るため、表示に利用することができるので液晶表示パネルの輝度が更に高まることとなる。ここで、第２拡散層は、板状の拡散板を反射偏光子に密着して貼り付けると好ましい。なぜならば、反射偏光子と板状の第１拡散層が密着して貼り付けられている場合に、両者の特性、例えば熱収縮、或いは経時変化に伴う収縮速度等が異なると、それらが湾曲してしまう虞がある。そこで、第２拡散層を、反射偏光子に密着して貼り付け、逆側に湾曲させる力が加わり、反射偏光子の湾曲を防止することができる。ここで、第１拡散層と第２拡散層とを同じ材料、及び同じ厚みで形成して両者の熱収縮率を均一にするのが最も好ましいが、第１拡散層と第２拡散層との熱収縮率の差が、第１拡散層と反射偏光子との熱収縮率の差、及び第２拡散層と反射偏光子との熱収縮率の差、より小さければ、第１拡散層および第２拡散層を如何なる材料、厚みで形成しても上記効果を得ることができる。
【００２０】
上記構成において、第１拡散層のヘイズ値を前記第２拡散層のヘイズ値より大きくすると好ましい。第２拡散層で散乱された外光は、反射偏光子および第１拡散層を透過して液晶表示パネル側に戻る。そのため、第１拡散層のヘイズ値を小さくし、第２拡散層のヘイズ値を大きく設定すると拡散された外光の多くは減衰してしまう。つまり、より多くの光を液晶表示パネルに戻すには、第１拡散層のヘイズ値を十分に大きくする必要がある。一方、第１拡散層、第２の拡散層のヘイズ値を両方共に大きくすると、液晶表示装置背面の照明装置からの光の多くが液晶表示パネル側以外の方向に向けて拡散されてしまい、表示に利用できる照明装置の光が少なくなる虞がある。したがって、より多くの外光を液晶表示パネル側に戻すとともに、照明装置からの光の利用効率を向上させるには、第１拡散層のヘイズ値を、前記第２拡散層のヘイズ値より大きく設定する必要がある。
【００２１】
上記の液晶装置の他の態様では、前記第１拡散層及び前記第２拡散層の少なくとも一方は、複数のビーズを備えて構成されるか、或いはベースフィルムと、前記ベースフィルムの表面上に分散して配置された複数のビーズと、を備えて構成されるか、或いは表面に凹凸形状を備えて構成される。これらの態様によれば、第１拡散層及び前記第２拡散層の少なくとも一方を簡易に作製することができる。
【００２２】
本発明の他の観点では、上記の何れかの液晶装置を表示部として備える電子機器を構成することができる。
【発明を実施するための最良の形態】
【００２３】
以下、図面を参照して本発明を実施するための最良の形態について説明する。
【００２４】
[液晶装置の構成]
図１は、本発明の実施形態に係る液晶装置１００を表示側から見た分解斜視図を示す。ここで、「表示側」とは、液晶表示パネル５０の表示領域（一点鎖線にて囲まれる領域）Ｖに映し出される表示画像が、視認者により視認される側を指す。図２は、図１の切断線Ａ−Ａ’に沿った液晶装置１００の断面図を示す。
【００２５】
液晶装置１００は、透過型の液晶装置であり、液晶表示パネル５０と、一対の偏光板５１、５２と、輝度向上フィルム５５と、照明装置５６と、を備える。
【００２６】
液晶表示パネル５０は、第１の基板としての素子基板１と、第２の基板としての対向基板２とを枠状のシール材３を介して貼り合わせ、シール材３で区画される領域内に、例えば所定方向にツイスト配向されたＴＮ（Twisted Nematic）型等の液晶層４を狭持して構成される。なお、本発明では、液晶表示パネル５０は、以下の構成に限定されず、周知の種々の構成を採り得る。
【００２７】
素子基板１は、板状の形状及び矩形状の平面形状を有し、複数の外側面を有する。なお、以下では、素子基板１において、表示領域Ｖとは逆側に位置する実装領域１ｈの外側面を第１の外側面１ｓａとし、また、第１の外側面１ｓａに交差する外側面を夫々第２の外側面１ｓｂ及び第３の外側面１ｓｃとし、また、第２の外側面１ｓｂ及び第３の外側面１ｓｃの各々に交差し且つ第１の外側面１ｓａと向かい合う外側面を第４の外側面１ｓｄとして説明する。
【００２８】
素子基板１は、複数のデータ線１１、複数の走査線１２、データ線駆動回路１３、複数の走査線駆動回路１４、複数の外部接続用端子１５、及び配線基板の一例としてのＦＰＣ（Flexible Printed Circuit）１６と、を備え、対向基板２の一端２ｓａから外側に張り出す実装領域１ｈを有する。
【００２９】
データ線駆動回路１３、各走査線駆動回路１４及び複数の外部接続用端子１５は、それぞれ、実装領域１ｈにおける対向基板２側の面１ｈａに実装又は形成されている。データ線駆動回路１３及び各走査線駆動回路１４は、それぞれ図示しない入力用端子及び出力用端子を有する。データ線駆動回路１３の出力用端子は、各データ線１１に電気的に接続されている一方、データ線駆動回路１３の入力端子は、各外部接続用端子１５を介してＦＰＣ１６に電気的に接続されている。走査線駆動回路１４の出力用端子は、各走査線１２に電気的に接続されている一方、走査線駆動回路１４の入力用端子は、各外部接続用端子１５を介してＦＰＣ１６に電気的に接続されている。
【００３０】
各データ線１１は、実装領域１ｈａ上におけるデータ線駆動回路１３の出力端子の位置から表示領域Ｖにかけて延在している。各走査線１２は、実装領域１ｈａ上における各走査線駆動回路１４の出力端子の位置から第４の外側面１ｓｄに向かって延在し、さらにその終端部から第２の外側面１ｓｂ側又は第３の外側面１ｓｃ側に向かって折れ曲がるように延在している。各データ線１１と各走査線１２との交差位置には、表示の最小単位となる画素領域Ｇが形成される。この画素領域Ｇが行列状に配列された領域が表示領域Ｖである。
【００３１】
対向基板２は、画素領域Ｇと平面的に重なる位置に配置される複数のカラーフィルタ層、及び各カラーフィルタ層を区画する位置に配置される遮光層等を備えるが、本例では、それらの構成要素の図示は省略している。
【００３２】
液晶装置１００に対しては、表示側から外光Ｌｚが入射する。ここで、外光Ｌｚは、第１の偏光成分Ｌｘ及び第１の偏光成分Ｌｘと交差する方向に振動する第２の偏光成分Ｌｙを含んでいる。第１偏光板としての偏光板５１は、液晶パネル５０の表示側に配置されている。偏光板５１は、表示側より入射された外光Ｌｚのうち一方向に振動する第１の偏光成分Ｌｘを液晶表示パネル５０側に向けて透過すると共に第１の偏光成分Ｌｘと交差する方向に振動する光を吸収する第１光学軸５１Ｌａを有する。一方、第２偏光板としての偏光板５２は、液晶パネル５０の表示側と逆側に配置されている。偏光板５２は、液晶表示パネル５０側より入射した第２の偏光成分Ｌｙを輝度向上フィルム５５側に向けて透過すると共に第２の偏光成分Ｌｙと交差する方向に振動する光を吸収する第２光学軸５２Ｌａを有する。好適な例では、偏光板５２の第２光学軸５２Ｌａは、偏光板５１の第１光学軸５１Ｌａに対して略９０[°]に設定される。
【００３３】
輝度向上フィルム５５は、反射偏光子フィルム５３と、反射偏光子フィルム５３上に配置された拡散層５４と、を備える。
【００３４】
反射偏光子フィルム５３は、偏光板５２を基準として液晶表示パネル５０側とは逆側に配置される。反射偏光子フィルム５３は、偏光板５２の第２光学軸５２Ｌａと略平行をなす第３光学軸５３Ｌａを有する。これにより、反射偏光子フィルム５３は、偏光板５２側より入射した第２の偏光成分Ｌｙを照明装置５６側に向けて透過すると共に第２の偏光成分Ｌｙと交差する方向に振動する光を偏光板５２側に向けて反射する。なお、反射偏光子フィルム５３としては、例えば、住友３Ｍ社製のＤＢＥＦ（商品名）等が挙げられる。
【００３５】
拡散層（以下、「拡散フィルム」とも称する）５４は、反射偏光子フィルム５３において偏光板５２側の面に配置され、入射光を拡散する。ここで、図３（ａ）乃至（ｃ）に拡散層５４の各構成例を示す。
【００３６】
図３（ａ）は、図２の破線領域Ａ１に相当する輝度向上フィルム５５の要部断面図であり、特に、反射偏光子フィルム５３上に配置された第１の構成例に係る拡散層５４ｘの断面構成を示す。この拡散層５４ｘは、反射偏光子フィルム５３上に分散して又は行列状に配置された複数のビーズ（粒子）５４ｘａにより構成される。なお、各ビーズ５４ｘａは、接着要素を介して反射偏光子フィルム５３上に接合される。
【００３７】
図３（ｂ）は、図３（ａ）に対応する図であり、特に、反射偏光子フィルム５３上に配置された第２の構成例に係る拡散層５４ｙの断面構成を示す。この拡散層５４ｙは、反射偏光子フィルム５３上に配置されたベースフィルム５４ｙａと、ベースフィルム５４ｙａ上に分散して又は行列状に配置された複数のビーズ５４ｙｂと、を備える。なお、各ビーズ５４ｙｂは、接着要素を介してベースフィルム５４ｙａ上に接合される。
【００３８】
図３（ｃ）は、図３（ａ）に対応する図であり、特に、反射偏光子フィルム５３上に配置された第３の構成例に係る拡散層５４ｚの断面構成を示す。この拡散層５４ｚは、反射偏光子フィルム５３上に配置され、表面に凹凸形状を有するフィルム素材により構成される。ここで、フィルム素材としては感光性樹脂等が挙げられる。また、フィルム素材の表面に設けられる凹凸形状は、フォトリソグラフィー技術等を用いて、感光性樹脂等の表面に対して選択的に光を照射することにより形成することができる。
【００３９】
以上、これらの各構成例によれば、拡散層５４ｘ、５４ｙ、５４ｚを簡易に作製することができる。なお、以下では、これらの拡散層５４ｘ、５４ｙ、５４ｚを特に区別しない場合には、単に「拡散層５４」と表記する。
【００４０】
照明装置５６は、反射偏光子フィルム５３を基準として液晶表示パネル５０とは逆側に配置され、液晶表示パネル５０を照明する。照明装置５６としては、例えば、光源、導光板及び光学シートを有するエッジライト方式、或いは、光源及び光学シートを有する直下型方式の照明装置等が挙げられる。
【００４１】
なお、図１は各構成要素の分割斜視図であり、上記の各構成要素は実際には図２に示すように相互に重ねて配置される。但し、後述するように、輝度向上フィルム５５と偏光板５２との間には所定の間隙ｄ１が設けられる。例えば、偏光板５１及び５２が取り付けられた状態の液晶パネル５０と、輝度向上フィルム５５とは図示しない筐体に組み込まれ、又は、図示しないフレームに取り付けられたときに所定の間隙ｄ１を有するように筐体又はフレームが構成される。
【００４２】
（輝度向上フィルム等による光制御方法）
次に、図２を参照して、本実施形態に係る輝度向上フィルム５５等による光制御方法の例について説明する。
【００４３】
この液晶装置１００における透過表示時には、照明装置５６から出射される照明光Ｌｂは、液晶表示パネル５０側に向けて進行する。また、これと同時に、表示側から液晶表示パネル５０側に向けて入射する外光Ｌｚは、図２の破線矢印に示す経路に沿って進行する。即ち、この場合、まず、液晶表示パネル５０側に向けて進む外光Ｌｚのうち、第１光学軸５１Ｌａと略平行な方向に振動する第１の偏光成分Ｌｘのみが偏光板５１を通過する。
【００４４】
次に、その通過した第１の偏光成分Ｌｘは、液晶層４において所定方向にツイスト配向された液晶分子（図示略）のねじれに沿って進行することで、第２光学軸５２Ｌａと略平行な方向に振動する第２の偏光成分Ｌｙに変化する。ここで、液晶層４を構成する液晶分子は、その駆動時に、偏光板５１側において第１光学軸５１Ｌａに対し略平行となるように、且つ偏光板５２側において第２光学軸５２Ｌａに対し略平行となるようにツイスト配向している。
【００４５】
次に、その第２の偏光成分Ｌｙは、第２光学軸５２Ｌａに対し略平行であるため、偏光板５２をそのまま通過して輝度向上フィルム５５に入射する。輝度向上フィルムに入射した光の一部は拡散フィルム５４で後方散乱されて偏光板５２に向けて進行する。一方、拡散フィルム５４を透過した光のうち第２の偏光成分Ｌｙの光はそのまま照明装置５６側へ透過する。ここで、拡散フィルムが完全には光学的に等方性でないことから、拡散フィルム５４を通過する光はその偏光状態が変化して、第１の偏光成分Ｌｘを含む光となる。そのため、拡散フィルム５４を透過した光のうち、第１の偏光成分Ｌｘは、反射偏光フィルム５３により反射されて、その偏光状態を再び変化させつつ、偏光板５２に向けて進行する。したがって、第１の偏光成分Ｌｘ及び第２の偏光成分Ｌｙを含む拡散光Ｌｓが、偏光板５２に向けて進行する。
【００４６】
次に、その拡散光Ｌｓが偏光板５２を通過する際に、その拡散光Ｌｓのうち第１の偏光成分Ｌｘが偏光板５２により吸収されると共に、第２の偏光成分Ｌｙが液晶表示パネル５０に向けて進行する。次に、その第２の偏光成分Ｌｙは、液晶分子のねじれに沿って進行することで、第１の偏光成分Ｌｘに変化する。次に、その第１の偏光成分Ｌｘは、偏光板５１をそのまま通過して、表示側に位置する視認者に到達する。
【００４７】
以上のように、この透過型の液晶装置１００では、反射偏光子フィルム５３上に拡散層５４が配置されているので、その拡散層５４による光の拡散効果、および反射偏光子フィルム５３による反射により、表示側から入射した外光Ｌｚの一部を効率よく液晶表示パネル５０側に戻すことができ、表示画像の輝度を高めることができる。その結果、透過コントラストを向上させることができ、屋内、屋外のいずれの環境下でも、視認性の高い表示画像を得ることが可能となる。
【００４８】
ここで、参考例として、この液晶装置１００において、反射偏光子フィルム５３上に拡散層５４が配置されていない構成（以下、「比較例」と呼ぶ）を想定すると、次のような課題がある。即ち、比較例では、拡散層５４による後方散乱がなく、又、第２偏光板を透過した第２の偏光成分Ｌｙの光はその偏光状態が変化しないので、反射偏光子フィルム５３によって反射されずに、照明装置５６に透過してしまう。このため、比較例では、液晶表示パネル５０に入射する外光Ｌｚを、液晶表示パネル５０側に戻すことができず、表示画像の輝度が低下してしまうといった課題がある。
【００４９】
また、この液晶装置１００では、輝度向上フィルム５５と偏光板５２との間に所定の間隙ｄ１が設けられている。つまり、拡散層５４と偏光板５２との間には、空気層５７が設けられている。これによれば、反射偏光子フィルム５３にて反射された光は、拡散層５４及び空気層５７をこの順に通過することで、偏光板５２側に向けてより拡散される。その結果、液晶表示パネル５０に入射する外光Ｌｚのうち、液晶表示パネル５０側に戻される第２の偏光成分Ｌｙの量を増やすことができ、表示画像の輝度を高めることができる。
【００５０】
液晶表示パネルとしては上述のＴＮパネルの他、ＩＰＳ、ＦＦＳ等に代表される横電界モードの液晶パネル、ＶＡ等の垂直配向モードの液晶パネル、又はＥＣＢモードの液晶パネル等各種液晶表示パネルを利用することができる。
【００５１】
[変形例]
ところで、上記の液晶装置１００では、輝度向上フィルム５５が照明装置５６に近接する位置に配置される。このため、輝度向上フィルム５５は、照明装置５６から放射される熱により湾曲状に反り返ってしまう虞がある。これは、反射偏光子フィルム５３と拡散層５４の熱収縮率が異なるからである。そうすると、輝度向上フィルム５５としての機能を果たせなくなる。
【００５２】
そこで、本発明では、輝度向上フィルム５５において、反射偏光子フィルム５３の照明装置５６側にも拡散層（第２拡散層）５８を配置することが好ましい。図４は、かかる構成を有する輝度向上フィルム５５ａを備えた変形例に係る液晶装置１００ａの断面図を示す。この場合、拡散層５８の熱収縮率は、拡散層５４の熱収縮率と略同一であることが好ましい。これにより、照明装置５６から放射される熱によって輝度向上フィルム５５ａが湾曲状に反り返ってしまうのを抑制することができ、液晶装置１００の光学特性に悪影響を与えるのを防止できる。
【００５３】
また、この変形例では、拡散層５４のヘイズ値が、拡散層５８のヘイズ値より大きいことが好ましい。ここで、「ヘイズ値」とは、一般的に、拡散層に光を照射したときの全透過光に対する拡散透過光の割合を指す。これは、照明装置５６から出射される照明光Ｌｂを拡散層５８によって不要に拡散させてしまうのを抑制するためである。即ち、輝度向上フィルム５５ａにおいて、拡散層５４のヘイズ値よりも拡散層５８のヘイズ値を大きくしてしまうと、その拡散層５８による光の拡散効果により、液晶表示パネル５０に透過させる照明光Ｌｂの量を減少させてしまい、表示画像の輝度を低下させてしまう虞があるからである。
【００５４】
[電子機器]
次に、上記した実施形態に係る液晶装置１００、或いは上記した変形例に係る液晶装置１００ａのちの何れかの液晶装置（以下、代表して「液晶装置１０００」と称する）を備える電子機器の具体例について図５を参照して説明する。
【００５５】
まず、本発明に係る液晶装置１０００を、可搬型のパーソナルコンピュータ（いわゆるノート型パソコン）の表示部に適用した例について説明する。図５（ａ）は、このパーソナルコンピュータの構成を示す斜視図である。同図に示すように、パーソナルコンピュータ７１０は、キーボード７１１を備えた本体部７１２と、本発明に係る液晶装置１０００を適用した表示部７１３とを備えている。
【００５６】
続いて、本発明に係る液晶装置１０００を、携帯電話機の表示部に適用した例について説明する。図５（ｂ）は、この携帯電話機の構成を示す斜視図である。同図に示すように、携帯電話機７２０は、複数の操作ボタン７２１のほか、受話口７２２、送話口７２３とともに、本発明に係る液晶装置１０００を適用した表示部７２４を備える。
【００５７】
なお、本発明に係る液晶装置１０００を適用可能な電子機器としては、図５（ａ）に示したパーソナルコンピュータや図５（ｂ）に示した携帯電話機の他にも、液晶テレビ、ビューファインダ型・モニタ直視型のビデオテープレコーダ、カーナビゲーション装置、ページャ、電子手帳、電卓、ワードプロセッサ、ワークステーション、テレビ電話、ＰＯＳ端末、ディジタルスチルカメラなどが挙げられる。
【図面の簡単な説明】
【００５８】
【図１】本発明の実施形態に係る輝度向上フィルムを有する液晶装置の分解斜視図。
【図２】図１の切断線Ａ−Ａ’に沿った液晶装置の断面図。
【図３】本実施形態に係る輝度向上フィルムの各構成例を示す要部断面図。
【図４】変形例に係る輝度向上フィルムを有する液晶装置の断面図。
【図５】本発明の液晶装置を備える電子機器の斜視図。
【符号の説明】
【００５９】
１  素子基板、  ２  対向基板、  ４  液晶層、  ５０  液晶表示パネル、  ５１  第１偏光板、  ５１Ｌａ  第１光学軸、  ５２  第２偏光板、  ５２Ｌａ  第２光学軸、  ５３  反射偏光子フィルム、  ５３Ｌａ  第３光学軸、  ５４、５４ｘ、５４ｙ、５４ｚ  拡散層、  ５５  輝度向上フィルム、  ５６  照明装置、  ５７  空気層、  １００、１００ａ  液晶装置
【図１】
2010107807.tif 000003
【図２】
2010107807.tif 000004
【図３】
2010107807.tif 000005
【図４】
2010107807.tif 000006
【図５】
2010107807.tif 000007